(57)【要約】【課題】適切なタイミングで人体情報に基づく表示を停止し得るトイレ装置を提供する。【解決手段】リモートコントローラ６０は、脈波波形を測定する脈波センサ６７と、脈波センサ６７によって測定された測定結果の表示を行う表示部６５と、表示部６５によって脈波波形の測定結果の表示が行われた後、便座装置３０によるトイレ装置１０の所定状態の検知に連動して、表示部６５による脈波波形の測定結果の表示を停止する表示停止部６１Ａと、を備えている。【選択図】図３
2019082013.tif 000002
【特許請求の範囲】
【請求項１】
人体を測定対象として所定の人体情報を測定する人体情報測定部と、前記人体情報測定部によって測定された前記人体情報に基づく表示を行う表示部と、を備えたトイレ装置であって、
前記トイレ装置の状態を検知する検知部と、
前記表示部によって前記人体情報に基づく表示が行われた後、前記検知部による前記トイレ装置の状態の検知に連動して、前記表示部による前記人体情報に基づく表示を停止する表示停止部と、
を備えることを特徴とするトイレ装置。
【請求項２】
便器本体に組み付けられる便座と、
を備え、
前記検知部は、前記便座への着座を検知する着座検知部であり、
前記表示停止部は、前記表示部によって前記人体情報に基づく表示が行われた後、前記着座検知部によって前記便座からの離座が検知された後に、前記表示部による前記人体情報に基づく表示を停止する制御を行うことを特徴とする請求項１に記載のトイレ装置。
【請求項３】
便鉢部に洗浄水を供給する便器洗浄部と、
を備え、
前記検知部は、前記便器洗浄部によって前記便鉢部に洗浄水が供給されたことを検知する洗浄検知部であり、
前記表示停止部は、前記表示部によって前記人体情報に基づいた表示が行われた後、前記洗浄検知部によって前記便器洗浄部により前記便鉢部に洗浄水が供給されたことが検知された後に、前記表示部による前記人体情報に基づいた表示を停止する制御を行うことを特徴とする請求項１又は請求項２に記載のトイレ装置。
【請求項４】
前記検知部は、前記トイレ装置に対して所定位置に位置する人体を検知する人体検知部であり、
前記表示停止部は、前記表示部によって前記人体情報に基づいた表示が行われた後、前記人体検知部によって人体が前記所定位置に位置しなくなったことが検知された後に、前記表示部による前記人体情報に基づいた表示を停止する制御を行うことを特徴とする請求項１乃至請求項３のいずれか１項に記載のトイレ装置。
【請求項５】
便鉢部を閉塞する閉状態と前記便鉢部を開放する開状態との間で回動可能に組み付けられる便蓋と、
を備え、
前記検知部は、前記便蓋の開閉状態を検知する便蓋検知部であり、
前記表示停止部は、前記表示部によって前記人体情報に基づいた表示が行われた後、前記便蓋検知部によって前記便蓋が前記開状態から前記閉状態になったことが検知された後に、前記表示部による前記人体情報に基づいた表示を停止する制御を行うことを特徴とする請求項１乃至請求項４のいずれか１項に記載のトイレ装置。
【請求項６】
外部機器と通信する通信部と、
前記表示部による前記人体情報に基づく表示の開始もしくは停止、又は前記外部機器から送信される情報の前記通信部を介した受信に連動して、前記人体情報を前記通信部を介して前記外部機器に送信する通信制御部と、を備えることを特徴とする請求項１乃至請求項５のいずれか１項に記載のトイレ装置。
【発明の詳細な説明】
【技術分野】
【０００１】
本発明はトイレ装置に関するものである。
【背景技術】
【０００２】
特許文献１に開示される健康情報表示温水洗浄便座は、便座に座した人体の生体インピーダンスなどの特性値を検出するための電極と、検出した生体特性値から体脂肪率などの所望の健康情報を演算する体脂肪率計と、を備えている。さらに、この健康情報表示温水洗浄便座は、体脂肪率計によって演算された健康情報をリモコンの表示手段に表示するためにリモコンに送信する表示手段を備えている。健康情報表示温水洗浄便座の使用者は、便座に座した状態で表示手段を見て体脂肪率を確認することができる。
【先行技術文献】
【特許文献】
【０００３】
【特許文献１】特開２００２−２２４０７４号公報
【発明の概要】
【発明が解決しようとする課題】
【０００４】
しかしながら、特許文献１の健康情報表示温水洗浄便座は、例えばトイレ個室において便器本体に組み付けられて使用される装置であり、複数の使用者によって共同で使用されることになる。そのため、使用者が表示手段に表示された健康情報を消去し忘れてトイレ個室から退室した場合には、健康情報が表示手段に表示され続けることになる。この場合、使用者が退室した後に入室した他の使用者が表示手段に表示された健康情報を見ることができ、被測定者のプライバシーが保護できなくなってしまう。
【０００５】
本発明は、上記従来の実情に鑑みてなされたものであって、適切なタイミングで人体情報に基づく表示を停止し得るトイレ装置を提供することを解決すべき課題としている。
【課題を解決するための手段】
【０００６】
本発明のトイレ装置は、
人体を測定対象として所定の人体情報を測定する人体情報測定部と、前記人体情報測定部によって測定された前記人体情報に基づく表示を行う表示部と、を備えたトイレ装置であって、
前記トイレ装置の状態を検知する検知部と、
前記表示部によって前記人体情報に基づく表示が行われた後、前記検知部による前記トイレ装置の状態の検知に連動して、前記表示部による前記人体情報に基づく表示を停止する表示停止部と、
を備えることを特徴とする。
【０００７】
このトイレ装置は、人体情報測定部によって人体を測定対象として所定の人体情報を測定することができる。また、トイレ装置は、表示部によって人体情報測定部により測定された人体情報に基づく表示を行うことができる。その上で、表示停止部は、表示部によって人体情報に基づく表示が行われた後、検知部によるトイレ装置の状態の検知に連動して、表示部による人体情報に基づく表示を停止する制御を行う。そのため、トイレ装置は、検知部によってトイレ装置の状態が検知されることに起因して、表示部による人体情報に基づく表示を停止することができる。これにより、トイレ装置は、使用者が表示部による表示を停止し忘れたとしても、使用者の動作に応じたトイレ装置の状態に基づいて表示部の表示を停止することができ、人体情報が測定された使用者のプライバシーを保護することができる。
【図面の簡単な説明】
【０００８】
【図１】実施例１に係るトイレ装置が設けられたトイレルームの様子を示す説明図である。
【図２】図１のリモートコントローラを概略的に示す斜視図である。
【図３】図１のトイレ装置の電気的構成を概略的に例示するブロック図である。
【図４】図１のリモートコントローラで実行される表示制御の流れを示すフローチャートである。
【図５】図１のリモートコントローラで実行される脈波波形の測定結果に関する送信制御の流れを示すフローチャートである。
【発明を実施するための形態】
【０００９】
本発明における好ましい実施の形態を説明する。
【００１０】
本発明のトイレ装置は、
便器本体に組み付けられる便座と、
を備え、
前記検知部は、前記便座への着座を検知する着座検知部であり、
前記表示停止部は、前記表示部によって前記人体情報に基づく表示が行われた後、前記着座検知部によって前記便座からの離座が検知された後に、前記表示部による前記人体情報に基づく表示を停止する制御を行い得る。
この場合、このトイレ装置は、使用者が便座から離座することに起因して表示部による表示を停止することができる。そのため、トイレ装置は、使用者が便座から離座してトイレ装置から離れた後に、他の使用者に表示部による人体情報に基づく表示を見られることを防ぐことができる。
【００１１】
本発明のトイレ装置は、
便鉢部に洗浄水を供給する便器洗浄部と、
を備え、
前記検知部は、前記便器洗浄部によって前記便鉢部に洗浄水が供給されたことを検知する洗浄検知部であり、
前記表示停止部は、前記表示部によって前記人体情報に基づいた表示が行われた後、前記洗浄検知部によって前記便器洗浄部により前記便鉢部に洗浄水が供給されたことが検知された後に、前記表示部による前記人体情報に基づいた表示を停止する制御を行い得る。
この場合、このトイレ装置は、便鉢部に洗浄水が供給されたことに起因して表示部による表示を停止することができる。そのため、トイレ装置は、使用者が排泄を済ませて便鉢部の洗浄を行いトイレ装置から離れた後に、他の使用者に表示部による人体情報に基づく表示を見られることを防ぐことができる。
【００１２】
本発明のトイレ装置は、
前記検知部は、前記トイレ装置に対して所定位置に位置する人体を検知する人体検知部であり、
前記表示停止部は、前記表示部によって前記人体情報に基づいた表示が行われた後、前記人体検知部によって人体が前記所定位置に位置しなくなったことが検知された後に、前記表示部による前記人体情報に基づいた表示を停止する制御を行い得る。
この場合、このトイレ装置は、人体が所定位置に位置しなくなったことに起因して、表示部による表示を停止することができる。そのため、トイレ装置は、トイレ装置から離れて人体検知部によって人体が所定位置に位置しなくなったことが検知された後に、他の使用者に表示部による人体情報に基づく表示を見られることを防ぐことができる。
【００１３】
本発明のトイレ装置は、
便鉢部を閉塞する閉状態と前記便鉢部を開放する開状態との間で回動可能に組み付けられる便蓋と、
を備え、
前記検知部は、前記便蓋の開閉状態を検知する便蓋検知部であり、
前記表示停止部は、前記表示部によって前記人体情報に基づいた表示が行われた後、前記便蓋検知部によって前記便蓋が前記開状態から前記閉状態になったことが検知された後に、前記表示部による前記人体情報に基づいた表示を停止する制御を行い得る。
この場合、このトイレ装置は、便蓋が開状態から閉状態になったことに起因して表示部による表示を停止することができる。そのため、トイレ装置は、使用者が排泄を済ませて便蓋を開状態から閉状態にした後に、他の使用者に表示部による人体情報に基づく表示を見られることを防ぐことができる。
【００１４】
本発明のトイレ装置は、
外部機器と通信する通信部と、
前記表示部による前記人体情報に基づく表示の開始もしくは停止、又は前記外部機器から送信される情報の前記通信部を介した受信に連動して、前記人体情報を前記通信部を介して前記外部機器に送信する通信制御部と、を備え得る。
この場合、このトイレ装置は、通信制御部によって通信部を介して人体情報が外部機器に送信されるため、使用者は表示部による表示以外にも、外部機器で人体情報を確認することできる。そのため、トイレ装置は、使用者が時間や場所などが制限されずに外部機器を用いて人体情報を確認することができる。
【００１５】
次に、本発明のトイレ装置を具体化した実施例について、図面を参照しつつ説明する。
【００１６】
＜実施例１＞
実施例１のトイレ装置１０は、図１に示すように、便器本体２０、便座装置３０、及びリモートコントローラ６０を備えている。トイレ装置１０は、リモートコントローラ６０が操作されることによって、便座装置３０の各種機能が発揮される。
【００１７】
便器本体２０は、図１に示すように、トイレルームの床面上に設置される床置き式の水洗式便器である。便器本体２０は、便鉢部２１が形成されている。便鉢部２１は、上端部が略楕円形状に開口した椀形状である。便鉢部２１は、洗浄水が滞留する溜水部（図示略）が下部に形成されている。溜水部は、洗浄水が排出される排水路（図示略）が連通されている。
【００１８】
便座装置３０は、図１に示すように、便器本体２０の上面に組み付けられている。便座装置３０は、便座３１、便蓋３２、及び本体３３を有している。本体３３は、便器本体２０に着脱可能に固定されている。本体３３は、後述する局部洗浄部４２、着座検知部４３、及び人体検知部４４等の機能装置が組み付けられている。本体３３は、上記機能装置の動作等を制御する機能部５０を内部に収容する。機能部５０は、後述する制御部５１、及びメモリ５２等を備えている。本体３３は、便座３１、及び便蓋３２を、倒伏姿勢と起立姿勢との間で回動自在となるように軸支している。便座３１は、内側が開口した環状に形成されている。便座３１は、倒伏姿勢で便器本体２０の便鉢部２１の上端部に沿うように配置される。便蓋３２は、倒伏姿勢において便座３１を上方から覆って便座３１の開口及び便鉢部２１の開口を塞ぐ閉状態となり、起立姿勢において便座３１の開口及び便鉢部２１の開口を開放する開状態となる。
【００１９】
便座装置３０は、図３に示すように、制御部５１、メモリ５２、通信部５３、電源部５４、便器洗浄部４１、局部洗浄部（請求項の「検知部」に相当）４２、着座検知部（請求項の「検知部」に相当）４３、及び人体検知部（請求項の「検知部」に相当）４４を備えている。制御部５１は、公知のコンピュータとして構成され、便座装置３０全体を制御する情報処理装置として機能する。制御部５１は、メモリ５２、通信部５３、電源部５４、便器洗浄部４１、局部洗浄部４２、着座検知部４３、人体検知部４４、及び便蓋検知部４５等が接続されている。制御部５１は、局部洗浄部４２、着座検知部４３、人体検知部４４、及び便蓋検知部４５等を動作させるための制御信号を出力する。メモリ５２は、公知のメモリであり、局部洗浄部４２等の各機能装置を制御可能なシステムプログラム等が予め格納されている。通信部５３は、リモートコントローラ６０と無線通信する。通信部５３は、例えば赤外線通信を行う赤外線通信インタフェースとして構成されている。
【００２０】
電源部５４は、商用１００Ｖ電源などの外部電源から電力供給を受けて、所定の電源電圧を生成するように機能する公知の電源回路などによって構成されている。電源部５４は、出力する電源電圧が配線（図示略）を介して便器洗浄部４１、局部洗浄部４２、着座検知部４３、人体検知部４４、及び便蓋検知部４５等の様々な電子装置に供給される。
【００２１】
便器洗浄部４１は、便鉢部２１に洗浄水を供給する装置である。便器洗浄部４１は、図示しない給水路、及び給水弁を備えている。給水路は、水道水等の洗浄水を便鉢部２１に供給する通路である。給水路は、便鉢部２１に通じている。給水弁は、例えば電磁弁として構成され、給水路の所定箇所に設けられている。便器洗浄部４１は、制御部５１からの便器洗浄の制御信号に基づいて、給水路を開放して便鉢部２１への洗浄水の供給を開始し、所定時間の経過後に給水路を遮断して便鉢部２１への洗浄水の供給を停止する。便器洗浄部４１は、便鉢部２１に洗浄水を供給し、便鉢部２１内の便（大便、及び小便）を溜水部に滞留していた洗浄水とともに排水路へと排出する。
【００２２】
局部洗浄部４２は、リモートコントローラ６０からの制御信号に基づいて局部を洗浄する。局部洗浄部４２は、図１に示すように、洗浄水が吐出する洗浄ノズル４２Ａを備えている。局部洗浄部４２は、本体３３に形成された開口（図示略）を介して洗浄ノズル４２Ａが便鉢部２１内に向けて進退可能になっている。洗浄ノズル４２Ａは、洗浄時に便鉢部２１内に進出し、先端部から洗浄水が吐出することによって局部を洗浄する。
【００２３】
着座検知部４３は、使用者が便座３１に着座した状態を検知する。着座検知部４３は、図１に示すように、本体３３に組み付けられている。着座検知部４３は、公知の赤外線センサによって構成されている。着座検知部４３は、図示しない発光素子（例えばＬＥＤ等）、及び受光素子（例えばフォトダイオード等）を備えている。着座検知部４３は、発光素子から赤外線が照射され、着座している使用者の人体で反射された赤外線を受光素子によって受光することにより、便座３１上に使用者が着座していることを検知する。
【００２４】
人体検知部４４は、便座装置３０に対して所定位置（例えば、トイレルーム内）に位置する人体を検知する。人体検知部４４は、図１に示すように、上側検知部４４Ａ、及び下側検知部４４Ｂを備えている。上側検知部４４Ａ及び下側検知部４４Ｂは、公知の赤外線センサによって構成され、図示しない発光素子（例えばＬＥＤ等）、及び受光素子（例えばフォトダイオード等）を備えている。上側検知部４４Ａ及び下側検知部４４Ｂは、発光素子から赤外線が照射され、トイレルーム内に位置する人体で反射された赤外線を受光素子によって受光することにより、トイレルーム内に使用者がいることを検知する。上側検知部４４Ａ及び下側検知部４４Ｂは、便蓋３２がそれぞれ倒伏姿勢及び起立姿勢であるときに、人体を検知する。
【００２５】
便蓋検知部４５は、便蓋３２の開閉状態を検知する。便蓋検知部４５は、公知の開閉検知手段（例えば、磁石と磁束を検出する検知素子（ホールＩＣ等）とを組み合わせた構成、マイクロスイッチ等）を備える。便蓋検知部４５は、便蓋３２が倒伏姿勢になった状態（閉状態）、及び便蓋３２が起立姿勢になった状態（開状態）を検知する。便蓋検知部４５は、便座装置３０の制御によって自動的に便蓋３２を閉状態と開状態との間で変化させる場合、及び手動で便蓋３２を閉状態と開状態との間で変化させる場合に、閉状態及び開状態を検知する。
【００２６】
制御部５１は、リモートコントローラ６０から送信される様々な制御信号に基づいて、便座装置３０の様々な制御を行うように機能する。制御部５１は、例えば、リモートコントローラ６０から送信される制御信号に基づいて、局部洗浄の開始制御、局部洗浄の停止制御、及び便器洗浄制御等を行う。
【００２７】
制御部５１は、図３に示すように、洗浄検知部（請求項の「検知部」に相当）５１Ａの機能が含まれている。制御部５１で実行される各機能は、ＣＰＵ等によるソフトウェア処理によって実現されてもよく、ハードウェア回路によって実現されてもよい。各機能は別々の装置によって実現されてもよく、共通の装置によって実現されてもよい。
【００２８】
洗浄検知部５１Ａは、便器洗浄部４１によって便鉢部２１に洗浄水が供給されたことを検知するように機能する。洗浄検知部５１Ａは、例えば、通信部５３を介してリモートコントローラ６０から送信される便器洗浄の制御信号を受信した場合に、便器洗浄部４１によって便鉢部２１に洗浄水が供給されたことを検知する。
【００２９】
制御部５１は、トイレ装置１０の所定状態の検知に関する情報を取得した場合に、リモートコントローラ６０に対して取得したトイレ装置１０の所定状態の検知に関する情報を送信するように機能する。トイレ装置１０の所定状態は、例えば、使用者が便座３１から離座した状態、便器洗浄部４１により便鉢部２１に洗浄水が供給された状態、便座装置３０に対する所定位置（トイレルーム内）に人体が位置する状態、又は便蓋３２が開状態から閉状態になった状態である。
【００３０】
リモートコントローラ６０は、便座装置３０の各種機能を作動させるための入力装置である。リモートコントローラ６０は、使用者の操作に応じた操作信号を無線信号によって便座装置３０へ送信する。リモートコントローラ６０は、図２に示すように、長手箱状に形成されている。リモートコントローラ６０は、正面（壁面に対向する面とは反対の面）が操作面となっている。リモートコントローラ６０は、例えば、背面（壁面に対向する面）に溝が形成され、壁面に固定されたホルダー部材７０に形成されたレールに対して沿うようにスライドさせて差し込むことにより、リモートコントローラ６０を壁面に着脱可能に取り付けられる。
【００３１】
リモートコントローラ６０は、図２に示すように、筐体６０Ａ、操作部６３（操作ボタン６３Ａ、及び割当ボタン６３Ｂ）、表示部６５、及び脈波センサ（請求項の「人体情報測定部」に相当）６７を備えている。筐体６０Ａは、内部にマイコンや電池６６等が収容されている。操作部６３は、例えばボタン式の入力スイッチとして構成されている。操作ボタン６３Ａは、便座装置３０の動作、表示部６５の表示の変更等を行うために操作される。操作ボタン６３Ａは、予め各種機能のいずれかが割り当てられている。例えば、複数の操作ボタン６３Ａは、それぞれ便蓋の開閉、便器洗浄、局部洗浄の開始、及び局部洗浄の停止等の制御を行うためのボタンである。
【００３２】
表示部６５は、液晶表示器や有機ＥＬディスプレイなどの公知の表示装置によって構成されている。表示部６５は、使用者の操作に応じた情報や、便座装置３０の動作状態などの各種情報を表示する。
【００３３】
割当ボタン６３Ｂは、リモートコントローラ６０の操作内容や便座装置３０の動作状態に応じて機能の割り当てが変わるボタンである。表示部６５は、割当ボタン６３Ｂに隣接する部分（上側で隣接する部分）に、その時点で割当ボタン６３Ｂに割り当てられている機能を表示することで、ボタンと機能の対応を使用者が認識できる。リモートコントローラ６０は、使用者が押下した割当ボタン６３Ｂに対応する機能を、その時点での割り当てに基づいて特定し、後述する通信部６４から赤外線通信で便座装置３０に制御信号をさせたり、表示部６５の表示を切り替えたりする。
【００３４】
脈波センサ６７は、使用者の指先から脈波波形のデータを取得する装置である。脈波センサ６７は、指置き部６７Ａ（図２参照）、発光素子（図示略）、及び受光素子（図示略）を備えている。指置き部６７Ａは、リモートコントローラ６０の操作面上に配置されている。指置き部６７Ａは、透明な板状部材（例えば樹脂部材）によって構成されている。発光素子は、例えばＬＥＤ等によって構成されている。受光素子は、例えばフォトダイオード等によって構成されている。脈波センサ６７は、発光素子によって光を照射し、指置き部６７Ａ上に置かれた使用者の指先の血管で反射された光を受光素子で受光する。脈波センサ６７は、指先の血管の拡張時と収縮時とで光の反射率が異なる現象を利用して、受光量の変動情報から血流の変化を使用者の脈波波形として検出する。
【００３５】
リモートコントローラ６０は、図３に示すように、制御部６１、メモリ６２、操作部６３（操作ボタン６３Ａ、及び割当ボタン６３Ｂ）、通信部６４、表示部６５、電池６６、及び脈波センサ６７を備えている。制御部６１は、公知のコンピュータとして構成され、リモートコントローラ６０全体を制御する情報処理装置として機能する。制御部６１は、メモリ６２、操作部６３、通信部６４、表示部６５、電池６６、及び脈波センサ６７等が接続されている。制御部６１は、表示部６５、及び脈波センサ６７等を動作させるための制御信号を出力する。メモリ６２は、公知のメモリであり、脈波センサ６７等の各機能装置を制御可能なシステムプログラム等が予め格納され、脈波センサ６７によって測定された脈波波形のデータ等を記憶する。操作部６３は、使用者による操作に応じて、制御部６１に対して操作信号を送信する。
【００３６】
通信部６４は、図示しない赤外線通信部、及び無線通信部を備えている。赤外線通信部は、便座装置３０と赤外線通信する。赤外線通信部は、例えば赤外線通信を行う公知の赤外線通信インタフェースとして構成されている。無線通信部は、携帯端末（請求項の「外部機器」に相当）８０と無線通信する。携帯端末８０は、例えば、公知の携帯型通信装置（携帯電話機、スマートフォン等）として構成されるものである。無線通信部は、例えば、制御部６１と協働して携帯端末８０との間で非接触通信（例えば、Ｂｌｕｅｔｏｏｔｈ（登録商標）等の電波による無線通信）を行なうアンテナ等を備えている。この無線通信部は、公知の電波方式で伝送を行う回路として構成されており、送信回路、受信回路、及び整合回路等を備えている。電池６６は、所定の直流電圧を発生可能な乾電池等である。
【００３７】
制御部６１は、便座装置３０に対して様々な制御を行わせるように制御信号を送信する。例えば、制御部６１は、便座装置３０に対して局部洗浄の開始信号及び停止信号を送信することで、それぞれ局部洗浄の開始制御及び停止制御を便座装置３０に行わせる。制御部６１は、便座装置３０に対して便器洗浄信号を送信することで、便座装置３０に便器洗浄制御を行わせる。
【００３８】
制御部６１は、図３に示すように、表示停止部６１Ａ、及び通信制御部６１Ｂの各機能が含まれている。制御部６１で実行される各機能は、ＣＰＵ等によるソフトウェア処理によって実現されてもよく、ハードウェア回路によって実現されてもよい。各機能は別々の装置によって実現されてもよく、共通の装置によって実現されてもよい。
【００３９】
表示停止部６１Ａは、表示部６５によって脈波波形の測定結果の表示が行われた後、トイレ装置１０の所定状態の検知に連動して、表示部６５による脈波波形の測定結果の表示を停止するように機能する。表示停止部６１Ａは、具体的には、脈波波形の測定結果を表示するように表示部６５に制御信号を送信した後に、便座装置３０によって検知されたトイレ装置１０の所定状態の検知に関する情報を受信した場合に、脈波波形の測定結果の表示を停止するように表示部６５を制御する。
【００４０】
通信制御部６１Ｂは、通信部６４を介した携帯端末８０から送信される情報の受信に連動して、脈波波形の測定結果を通信部６４を介して携帯端末８０に送信するように機能する。通信制御部６１Ｂは、具他的には、脈波波形の測定結果の送信を要求する情報を携帯端末８０から受信したことに応じて、脈波波形の測定結果を携帯端末８０に送信する。
【００４１】
次に、リモートコントローラ６０で実行される表示制御の流れについて、図４を参照して説明する。リモートコントローラ６０は、脈波センサ６７が起動状態にあり、指先が指置き部６７Ａに置かれて、脈波センサ６７によって脈波波形が測定されることで、図４の処理を開始する。
【００４２】
ステップＳ１１では、リモートコントローラ６０は、脈波センサ６７によって脈波波形が測定される。脈波センサ６７は、受光素子で受光する受光量の時間変化を、脈波波形のデータとして測定する。
【００４３】
ステップＳ１１に続いて、リモートコントローラ６０は、脈波センサ６７によって測定された脈波波形の測定結果を表示部６５によって表示する制御を行う（ステップＳ１２）。例えば、リモートコントローラ６０は、測定した脈波波形のデータに基づいて公知の方法（例えば、特開２０１２−１９９２６号公報等で示される方法）で特定した血管年齢や、ストレス度など、脈波波形のデータに関連する情報を表示部６５によって表示する。
【００４４】
ステップＳ１２に続いて、リモートコントローラ６０は、トイレ装置１０の所定状態が便座装置３０によって検知されたか否か判断する（ステップＳ１３）。リモートコントローラ６０は、具体的には、便座装置３０によって送信されたトイレ装置１０の所定状態の検知に関する情報を、通信部６４を介して受信したか否か判定する。リモートコントローラ６０は、便座装置３０の所定状態の検知に関する情報を取得した場合に、リモートコントローラ６０に対して取得した便座装置３０の所定状態の検知に関する情報を送信する。例えば、リモートコントローラ６０は、着座検知部４３によって使用者が便座３１から離座した状態が検知された場合に、使用者が便座３１から離座した状態の検知に関する情報を送信する。リモートコントローラ６０は、洗浄検知部５１Ａによって便器洗浄部４１により便鉢部２１に洗浄水が供給された状態が検知された場合に、便鉢部２１に洗浄水が供給された状態の検知に関する情報を送信する。リモートコントローラ６０は、人体検知部４４によってトイレルーム内に人体が位置する状態が検知された場合に、人体検知部４４によってトイレルーム内に人体が位置する状態の検知に関する情報を送信する。リモートコントローラ６０は、便蓋検知部４５によって便蓋３２が開状態から閉状態になった状態が検知された場合に、便蓋検知部４５によって便蓋３２が開状態から閉状態になった状態の検知に関する情報を送信する。以上のように、リモートコントローラ６０は、使用者が便座３１から離座した状態、便鉢部２１に洗浄水が供給された状態、トイレルーム内に人体が位置する状態、又は便蓋３２が開状態から閉状態になった状態のうち少なくともいずれかの状態の検知に関する情報を取得した場合に、リモートコントローラ６０に対して取得した便座装置３０の状態の検知に関する情報を送信する。
【００４５】
リモートコントローラ６０は、ステップＳ１３でトイレ装置１０の所定状態を検知したと判断した場合、Ｙｅｓに進み、ステップＳ１２で表示部６５によって表示を開始した測定結果の表示を停止する（ステップＳ１４）。ステップＳ１４の処理の後、図４に示す処理を終了する。このように、トイレ装置１０は、便座装置３０によってトイレ装置１０の所定状態が検知されることに起因して、表示部６５による測定情報の表示を停止することができる。そのため、トイレ装置１０は、使用者が表示部６５による表示を停止し忘れたとしても、使用者の動作に応じたトイレ装置１０の状態（例えば、使用者が便座３１から離座した状態）に基づいて表示部６５の表示を停止することができ、脈波波形が測定された使用者のプライバシーを保護することができる。
【００４６】
一方で、リモートコントローラ６０は、ステップＳ１３でトイレ装置１０の所定状態を検知していないと判断した場合、Ｎｏに進み、所定時間（例えば、表示部６５によって測定結果の表示を開始した時点（ステップＳ１２の処理を実行した時点）からの所定時間）が経過したか否か判定する（ステップＳ１５）。例えば、リモートコントローラ６０は、表示部６５によって測定結果の表示を開始した時点から１分が経過したか否か判定する。
【００４７】
リモートコントローラ６０は、ステップＳ１５で所定時間が経過したと判定する場合、Ｙｅｓに進み、ステップＳ１４の処理を行い、図４に示す処理を終了する。一方で、リモートコントローラ６０は、ステップＳ１５で所定時間が経過していないと判定する場合、Ｎｏに進み、再びステップＳ１３の処理を行う。
【００４８】
次に、リモートコントローラ６０で実行される脈波波形の測定結果に関する送信制御の流れについて、図５を参照して説明する。リモートコントローラ６０は、脈波センサ６７によって測定された脈波波形の測定結果を表示部６５によって表示する制御（図４のステップＳ１２の処理に相当）を開始することで、図５の処理を開始する。リモートコントローラ６０は、表示部６５によって脈波波形の測定結果を表示する制御を開始することで、図４のステップＳ１３以降の処理、及び図５のステップＳ２２以降の処理を並行して実行する。
【００４９】
ステップＳ２１では、リモートコントローラ６０は、ステップＳ１２と同様の方法で、脈波センサ６７によって測定された脈波波形の測定結果（図４のステップＳ１１で測定した脈波波形の測定結果）を表示部６５によって表示する制御を開始する。
【００５０】
ステップＳ２１に続いて、リモートコントローラ６０は、携帯端末８０から測定結果の送信要求を受信したか否か判定する（ステップＳ２２）。使用者は、脈波波形の測定結果を携帯端末８０に表示させて確認しようとした場合、自身で所持する携帯端末８０を操作することによって、リモートコントローラ６０に対して測定結果の送信を要求する情報（送信要求情報）を送信する。リモートコントローラ６０は、携帯端末８０から送信要求情報を受信した場合に、ステップＳ２２でＹｅｓに進み、脈波波形の測定結果（図４のステップＳ１１で測定した脈波波形の測定結果）を携帯端末８０に送信する（ステップＳ２３）。ステップＳ２３の処理の後、図５に示す処理を終了する。
【００５１】
一方で、ステップＳ２２で、リモートコントローラ６０は、携帯端末８０から送信要求情報を受信していない場合に、Ｎｏに進み、測定結果の送信可能期間内であるか否か判定する（ステップＳ２４）。測定結果の送信可能期間は、例えば、表示部６５によって測定結果の表示を開始した時点と、表示を停止した時点から所定時間が経過した時点と、の間の期間である。ここで、所定時間は、使用者が排便又は排尿を済ませてトイレルームから退室することが想定される経過時間を考慮して決定され、例えば３０秒である。リモートコントローラ６０は、測定結果の送信可能期間内であると判定する場合、Ｙｅｓに進み、脈波波形の測定結果を携帯端末８０に送信することなく、図５の処理を終了する。一方で、ステップＳ２４で、リモートコントローラ６０は、測定結果の送信可能期間内でないと判定する場合、Ｎｏに進み、再びステップＳ２２の処理を行う。
【００５２】
以下、本構成の効果を例示する。
実施例１のリモートコントローラ６０は、脈波センサ６７によって脈波波形を測定することができる。また、リモートコントローラ６０は、表示部６５によって脈波センサ６７により測定された脈波波形の測定結果の表示を行うことができる。その上で、表示停止部６１Ａは、表示部６５によって脈波波形の測定結果の表示が行われた後（ステップＳ１２の後）、トイレ装置１０の所定状態の検知に連動して、表示部６５による人体情報に基づく表示を停止する制御を行う（ステップＳ１４）。そのため、リモートコントローラ６０は、トイレ装置１０の状態が検知されることに起因して、表示部６５による測定結果の表示を停止することができる。これにより、リモートコントローラ６０は、使用者が表示部６５による表示を停止し忘れたとしても、使用者の操作に応じたトイレ装置１０の状態に基づいて表示部６５の表示を停止することができ、脈波波形が測定された使用者のプライバシーを保護することができる。
【００５３】
便座装置３０は、便座３１への着座を検知する着座検知部４３を備えている。表示停止部６１Ａは、表示部６５によって脈波波形の測定結果の表示が行われた後（ステップＳ１２の後）、着座検知部４３によって便座３１からの離座が検知された場合に、表示部６５による脈波波形の測定結果の表示を停止する制御を行う（ステップＳ１４）。
このため、リモートコントローラ６０は、使用者が便座３１から離座することに起因して表示部６５による表示を停止することができる。そのため、リモートコントローラ６０は、使用者が便座３１から離座してトイレ装置１０から離れた後に、他の使用者に表示部６５による脈波波形の測定結果の表示を見られることを防ぐことができる。
【００５４】
便座装置３０は、便器洗浄部４１によって便鉢部２１に洗浄水が供給されたことを検知する洗浄検知部５１Ａを備えている。表示停止部６１Ａは、表示部６５によって脈波波形の測定結果の表示が行われた後（ステップＳ１２の後）、洗浄検知部５１Ａによって便器洗浄部４１により便鉢部２１に洗浄水が供給されたことが検知された場合に、表示部６５による脈波波形の測定結果の表示を停止する制御を行う（ステップＳ１４）。
このため、リモートコントローラ６０は、便鉢部２１に洗浄水が供給されたことに起因して表示部６５による表示を停止することができる。そのため、リモートコントローラ６０は、使用者が排泄を済ませて便鉢部２１の洗浄を行いトイレ装置１０から離れた後に、他の使用者に表示部６５による脈波波形の測定結果の表示を見られることを防ぐことができる。
【００５５】
便座装置３０は、便座装置３０に対して所定位置（トイレルーム内）に位置する人体を検知する人体検知部４４を備えている。表示停止部６１Ａは、表示部６５によって脈波波形の測定結果の表示が行われた後（ステップＳ１２の後）、人体検知部４４によって人体が所定位置に位置しなくなったことが検知された場合に、表示部６５による脈波波形の測定結果の表示を停止する制御を行う（ステップＳ１４）。
このため、リモートコントローラ６０は、人体検知部４４によって人体が所定位置（トイレルーム内）に位置しなくなったことが検知されたことに起因して、表示部６５による表示を停止することができる。そのため、リモートコントローラ６０は、便座装置３０から離れて人体検知部４４によって人体が所定位置（トイレルーム内）に位置しなくなったことが検知された後に、他の使用者に表示部６５による脈波波形の測定結果の表示を見られることを防ぐことができる。
【００５６】
便座装置３０は、便蓋３２の開閉状態を検知する便蓋検知部４５を備えている。表示停止部６１Ａは、表示部６５によって脈波波形の測定結果の表示が行われた後、便蓋検知部４５によって便蓋３２が開状態から閉状態になったことが検知された場合に、表示部６５による脈波波形の測定結果の表示を停止する制御を行う。
このため、リモートコントローラ６０は、便蓋検知部４５によって便蓋３２が開状態から閉状態になったことが検知されたことに起因して表示部６５による表示を停止することができる。そのため、リモートコントローラ６０は、使用者が排泄を済ませて便蓋３２を開状態から閉状態にした後に、他の使用者に表示部６５による脈波波形の測定結果の表示を見られることを防ぐことができる。
【００５７】
リモートコントローラ６０は、携帯端末８０と通信する通信部６４を備えている。リモートコントローラ６０は、携帯端末８０から送信される情報の通信部６４を介した受信に連動して、脈波波形の測定結果を通信部６４を介して携帯端末８０に送信する通信制御部６１Ｂを備えている。
このため、リモートコントローラ６０は、通信制御部６１Ｂによって通信部６４を介して脈波波形の測定結果が携帯端末８０に送信されるため、使用者は表示部６５による表示以外にも、携帯端末８０で脈波波形の測定結果を確認することできる。そのため、トイレ装置１０は、使用者が携帯端末８０で時間や場所などが制限されずに脈波波形の測定結果を確認することができる。
【００５８】
本発明は上記記述及び図面によって説明した実施例に限定されるものではなく、例えば次のような実施例も本発明の技術的範囲に含まれる。
（１）実施例１では、リモートコントローラ６０は、トイレ装置１０の所定状態の検知の有無を判断した後に、表示部６５による脈波波形の表示を停止する構成であった。しかしながら、リモートコントローラ６０は、トイレ装置１０の所定状態の検知の有無に関わらず、使用者による操作が終了した後に、所定時間が経過した場合に、表示部６５による脈波波形の表示を停止してもよい。すなわち、リモートコントローラ６０は、トイレ装置１０の所定状態の検知の有無に関わらず（ステップＳ１３を行うことなく）、使用者による操作が終了した後（脈波センサ６７による脈波波形の測定完了後）に、所定時間（例えば、表示部６５によって測定結果の表示を開始した時点（ステップＳ１２の処理を実行した時点）からの所定時間）が経過したと判定した場合に、表示部６５による脈波波形の表示を停止してもよい。
（２）実施例１では、リモートコントローラ６０の通信制御部６１Ｂは、携帯端末８０から送信される測定結果の送信要求情報の受信に連動して、脈波波形の測定結果を携帯端末８０に送信する構成を例示したが、表示部６５による脈波波形の測定結果の表示の開始もしくは停止に連動して脈波波形の測定結果を携帯端末８０に送信する構成であってもよい。例えば、通信制御部６１Ｂは、表示部６５による脈波波形の測定結果に関する表示の開始処理（ステップＳ１２）の時点、又は開始処理（ステップＳ１２）の時点よりも所定時間前の時点もしくは所定時間後の時点において、自動的に脈波波形の測定結果を携帯端末８０に送信する構成であってもよい。また、通信制御部６１Ｂは、表示部６５による脈波波形の測定結果に関する表示の停止処理（ステップＳ１４）の時点、又は停止処理（ステップＳ１４）の時点よりも所定時間前の時点もしくは所定時間後の時点において、自動的に脈波波形の測定結果を携帯端末８０に送信する構成であってもよい。このような構成でも、トイレ装置１０は、通信制御部６１Ｂによって通信部６４を介して測定結果が携帯端末８０に送信されるため、使用者は表示部６５による表示以外にも、携帯端末８０で人体情報を確認することできる。特に、トイレ装置１０は、使用者が携帯端末８０を操作して測定結果の送信要求情報を送信する必要がなく、利便性を向上させることができる。
（３）実施例１では、リモートコントローラ６０は、ステップＳ１３で、使用者が便座３１から離座した状態、便鉢部２１に洗浄水が供給された状態、トイレルーム内に人体が位置する状態、又は便蓋３２が開状態から閉状態になった状態のうち少なくともいずれか１つの状態の検知に関する情報を取得した場合に（ステップＳ１３でＹｅｓ）、表示部６５による表示結果の表示を停止した（ステップＳ１４）。しかしながら、リモートコントローラ６０は、上記４つの所定状態のうち、いずれか２つ以上の所定状態の検知に関する情報を取得した場合にも、表示部６５による表示結果の表示を停止してもよい。例えば、リモートコントローラ６０は、ステップＳ１３において、使用者が便座３１から離座した状態、及びトイレルーム内に人体が位置する状態の検知に関する情報を取得した場合に、トイレ装置１０の少なくとも１つの所定状態が検知されたとして、表示部６５による表示結果の表示を停止する。
（４）実施例１では、リモートコントローラ６０は、トイレ装置１０の所定状態を検知したと判断した場合に（ステップＳ１３でＹｅｓ）、表示部６５によって表示を開始した測定結果の表示を停止したが（ステップＳ１４）、トイレ装置１０の所定状態を検知したと判断した場合に（ステップＳ１３でＹｅｓ）、検知時点から所定時間（例えば、３０秒）が経過した後に、表示部６５によって表示を開始した測定結果の表示を停止してもよい（ステップＳ１４）。これにより、トイレ装置１０の所定状態が検知された後であっても、所定時間が経過するまでは測定結果を見ることができ、ある程度余裕を持って測定結果を確認することができる。
（５）実施例１では、トイレ装置１０は、便器本体２０を備える構成であったが、便器本体２０を備えない構成であってもよい。すなわち、トイレ装置１０は、便座装置３０、及びリモートコントローラ６０によって機能が実現される構成であってもよい。
（６）実施例１では、便蓋３２は、倒伏姿勢（閉状態）と起立姿勢（開状態）との間で回動自在に本体３３に組み付けられているが、自動開閉してもよい。例えば、着座検知部４３によって離座が検知された場合や、人体検知部４４によってトイレルーム内に人体が位置しなくなったことが検知された場合に、制御部５１の自動制御によって便蓋３２を開状態から閉状態に変化させてもよい。
（７）上述の便蓋３２の自動開閉を行う構成では、リモートコントローラ６０は、便蓋３２の開状態から閉状態への変化に連動して、表示部６５による測定結果の表示を停止してもよい。具体的には、便座装置３０は、便蓋３２の自動制御によって便蓋３２を開状態から閉状態に変化させる場合に、便蓋３２を開状態から閉状態に変化させる自動制御に関する情報（便蓋制御情報）を送信する。リモートコントローラ６０は、便蓋制御情報の受信に連動して表示部６５による測定結果の表示を停止してもよい。
（８）実施例１では、リモートコントローラ６０は、トイレ装置１０の所定状態を検知したと判断した場合に、表示部６５によって表示を開始した測定結果の表示を停止したが、測定結果の表示の停止とともにメモリ６２に記憶された脈波波形のデータを消去してもよい。
（９）実施例１では、便座装置３０がトイレルーム内に位置する人体を検知したが、リモートコントローラ６０がトイレルーム内に位置する人体を検知してもよい。リモートコントローラ６０は、人体検知部４４と同様の構成の人体検知部を備え、トイレルーム内に人体が位置しなくなったことを検知した場合に、表示部６５による測定結果の表示を停止してもよい。
（１０）実施例１では、人体検知部４４は、赤外線センサによって構成されたが、超音波センサや、熱感知センサ等のその他のセンサによって構成されてもよい。
（１１）実施例１では、携帯端末８０に脈波波形の測定結果を送信したが、パーソナルコンピュータ等の所定位置に固定された機器等その他の外部機器に脈波波形の測定結果を送信してもよい。
（１２）実施例１では、脈波センサ６７は、受光素子が指置き部６７Ａ上に置かれた使用者の指先の血管で反射された光を受光する構成であったが、指先の血管を透過した光を受光する構成（透過型の脈波センサ）であってもよい。
（１３）実施例１では、指先センサの一例として脈波センサ６７を示したが、指先センサは、指先を測定対象とした測定を行うセンサであれば、血圧計や、体重計等であってもよい。
（１４）実施例１では、便座装置３０とリモートコントローラ６０は、赤外線通信によって信号を送受する構成であったが、Ｂｌｕｅｔｏｏｔｈ（登録商標）等の電波を用いた無線通信方式によって信号を送受してもよい。
（１５）実施例１では、着座検知部４３は、公知の赤外線センサによって構成されていたが、静電容量式や体重検知式のセンサであってもよい。
（１６）実施例１では、便器本体２０は、トイレルームの床面上に設置される床置き式である例を示したが、壁掛け式であってもよい。
【符号の説明】
【００５９】
１０…トイレ装置
２０…便器本体
２１…便鉢部
３１…便座
３２…便蓋
４１…便器洗浄部
４３…着座検知部（検知部）
４４…人体検知部（検知部）
４５…便蓋検知部（検知部）
５１Ａ…洗浄検知部（検知部）
６１Ａ…表示停止部
６１Ｂ…通信制御部
６４…通信部
６５…表示部
６７…脈波センサ（人体情報測定部）
８０…携帯端末（外部機器）
【図１】
2019082013.tif 000003
【図２】
2019082013.tif 000004
【図３】
2019082013.tif 000005
【図４】
2019082013.tif 000006
【図５】
2019082013.tif 000007